(57)【特許請求の範囲】
【請求項１】
ポストカード等の包装，封筒等として用いられる包装体であって、
左回りに頂点をＡ，Ｂ，Ｃ，Ｄとする長方形（又は正方形）ＡＢＣＤにおいて、辺ＤＡ上に線分Ｓ１Ａ＜線分Ｓ２Ｓ１となるように点Ａから順に点Ｓ１，Ｓ２を設け、点Ｓ１，Ｓ２から辺ＢＣに下ろした垂線の足をそれぞれ点Ｌ１，Ｌ２とし、辺ＣＤ上に点Ｅを設け、線分ＥＳ１と線分Ｓ２Ｌ２との交点を点Ｆとし、線分Ｌ１Ｌ２上に、線分ＦＬ２'に対して点Ｃの線対称となる点Ｃ'が線分Ｓ１Ｌ１を超えないように点Ｌ２'を設け、線分ＦＬ２上に線分Ｓ２Ｌ３＜線分Ｌ３Ｌ４，線分Ｌ３Ｌ４−線分ＦＬ３＜線分Ｌ４Ｌ２＜線分Ｌ３Ｌ４となるように点Ｌ３，Ｌ４を設け、点Ｌ３を通り線分ＦＬ２に垂直な直線と線分Ｓ１Ｌ１，線分ＦＬ２'との交点をそれぞれ点Ｓ３，Ｌ３'とし、点Ｌ４を通り線分ＦＬ２に垂直な直線と線分Ｓ１Ｌ１，線分ＦＬ２'との交点をそれぞれ点Ｓ４，Ｌ４'として定義するとき、
前記包装体は、五角形ＡＢＣＥＳ１の形状をしたシート材からなり、
前記シート材において、
線分Ｓ１Ｌ１が折り目となるように縁部ＡＢＬ１Ｓ１を表面側（又は裏面側）に折り返してなる第１の折り部と、
前記第１の折り部が形成された状態において、線分ＦＬ２'が折り目となり、前記第１の折り部に重なるように縁部ＦＬ２'ＣＥを表面側（又は裏面側）に折り返してなる第２の折り部と、
前記第２の折り部が形成された状態において、線分Ｓ３Ｌ３'が折り目となるように縁部Ｓ１Ｓ３Ｌ３'Ａを表面側（又は裏面側）に折り返してなる第３の折り部と、
前記第３の折り部が形成された状態において、線分Ｓ４Ｌ４'が折り目となるように縁部Ｓ４Ｌ１Ｌ２'Ｌ４'を表面側（又は裏面側）に折り返してなる第４の折り部とを備え、
前記縁部Ｓ１Ｓ３Ｌ３'Ａにおいて形成されるポケットＳ１Ｓ３Ｌ３'Ｆに前記縁部Ｓ４Ｌ１Ｌ２'Ｌ４'を端縁Ｌ１Ｌ２'から挿入できるように構成したことを特徴とする包装体。
【請求項２】
前記長方形（又は正方形）ＡＢＣＤにおいて、線分Ｌ３Ｌ４上に線分Ｓ２Ｌ３＜線分Ｌ３Ｌ５＋線分Ｌ５Ｌ４，線分Ｌ３Ｌ５＜線分Ｓ２Ｌ３＋線分Ｌ５Ｌ４，線分Ｌ５Ｌ４＜線分Ｓ２Ｌ３＋線分Ｌ３Ｌ５となるように点Ｌ５を設け、線分Ｌ４Ｌ２上に線分Ｓ２Ｆ＜線分Ｌ４Ｌ６＜線分Ｓ２Ｌ３，線分Ｌ６Ｌ２＜線分Ｌ４Ｌ６となるように点Ｌ６を設け、点Ｌ５を通り線分ＦＬ２に垂直な直線と線分Ｓ１Ｌ１，線分ＦＬ２'との交点をそれぞれ点Ｓ５，Ｌ５'とし、点Ｌ６を通り線分ＦＬ２に垂直な直線と線分Ｓ１Ｌ１，線分ＦＬ２'との交点をそれぞれ点Ｓ６，Ｌ６'として定義するとき、
前記第２の折り部が形成された状態において、
線分Ｓ５Ｌ５'に沿って付けられた第１の筋と、
線分Ｓ６Ｌ６'に沿って付けられた第２の筋とを備え、
前記線分Ｓ３Ｌ３'が折り目となるように前記縁部Ｓ１Ｓ３Ｌ３'Ａを表面側（又は裏面側）に折り、前記第１の筋に基づいて中央部Ｓ３Ｓ４Ｌ４'Ｌ３'を表面側（又は裏面側）に折り、前記第２の筋に基づいて縁部Ｓ６Ｌ１Ｌ２'Ｌ６'を折り返して重畳部を形成し、この重畳部を前記線分Ｓ４Ｌ４'が折り目となるように表面側（又は裏面側）に折り、前記ポケットＳ１Ｓ３Ｌ３'Ｆに前記重畳部を端縁Ｓ６Ｌ６'から挿入することにより卓上スタンドを形成し、前記卓上スタンドの前記ポケットＳ１Ｓ３Ｌ３'Ｆに前記ポストカード等を挿入できるように構成したことを特徴とする請求項１に記載の包装体。
【請求項３】
ポストカード等の包装，封筒等として用いられる包装体であって、
左回りに頂点をＡ，Ｂ，Ｃ，Ｄとする長方形（又は正方形）ＡＢＣＤにおいて、辺ＤＡ上に線分ＤＳ２＜線分Ｓ２Ｓ１となるように点Ａから順に点Ｓ１，Ｓ２を設け、点Ｓ１，Ｓ２から辺ＢＣに下ろした垂線の足をそれぞれ点Ｌ１，Ｌ２とし、辺ＣＤ上に点Ｅを設け、線分ＥＳ１と線分Ｓ２Ｌ２との交点を点Ｆとし、線分Ｌ１Ｌ２上に、線分Ｓ１Ｌ１'に対して点Ｂの線対称となる点Ｂ'が線分ＦＬ２を超えないように点Ｌ１'を設け、線分ＦＬ２上に線分Ｓ２Ｌ３＜線分Ｌ３Ｌ４，線分Ｌ３Ｌ４−線分ＦＬ３＜線分Ｌ４Ｌ２＜線分Ｌ３Ｌ４となるように点Ｌ３，Ｌ４を設け、点Ｌ３を通り線分ＦＬ２に垂直な直線と線分Ｓ１Ｌ１'との交点を点Ｓ３'とし、点Ｌ４を通り線分ＦＬ２に垂直な直線と線分Ｓ１Ｌ１'との交点を点Ｓ４'として定義するとき、
前記包装体は、五角形ＡＢＣＥＳ１の形状をしたシート材からなり、
前記シート材において、
線分Ｓ１Ｌ１'が折り目となるように縁部ＡＢＬ１'Ｓ１を表面側（又は裏面側）に折り返してなる第１の折り部と、
前記第１の折り部が形成された状態において、線分ＦＬ２が折り目となり、前記第１の折り部に重なるように縁部ＦＬ２ＣＥを表面側（又は裏面側）に折り返してなる第２の折り部と、
前記第２の折り部が形成された状態において、線分Ｓ３'Ｌ３が折り目となるように縁部Ｓ１Ｓ３'Ｌ３Ａを表面側（又は裏面側）に折り返してなる第３の折り部と、
前記第３の折り部が形成された状態において、線分Ｓ４'Ｌ４が折り目となるように縁部Ｓ４'Ｌ１'Ｌ２Ｌ４を表面側（又は裏面側）に折り返してなる第４の折り部とを備え、
前記縁部Ｓ１Ｓ３'Ｌ３Ａにおいて形成されるポケットＳ１Ｓ３'Ｌ３Ｆに前記縁部Ｓ４'Ｌ１'Ｌ２Ｌ４を端縁Ｌ１'Ｌ２から挿入できるように構成したことを特徴とする包装体。
【請求項４】
前記長方形（又は正方形）ＡＢＣＤにおいて、線分Ｌ３Ｌ４上に線分Ｓ２Ｌ３＜線分Ｌ３Ｌ５＋線分Ｌ５Ｌ４，線分Ｌ３Ｌ５＜線分Ｓ２Ｌ３＋線分Ｌ５Ｌ４，線分Ｌ５Ｌ４＜線分Ｓ２Ｌ３＋線分Ｌ３Ｌ５となるように点Ｌ５を設け、線分Ｌ４Ｌ２上に線分Ｓ２Ｆ＜線分Ｌ４Ｌ６＜線分Ｓ２Ｌ３，線分Ｌ６Ｌ２＜線分Ｌ４Ｌ６となるように点Ｌ６を設け、点Ｌ５を通り線分ＦＬ２に垂直な直線と線分Ｓ１Ｌ１'との交点を点Ｓ５'とし、点Ｌ６を通り線分ＦＬ２に垂直な直線と線分Ｓ１Ｌ１'との交点を点Ｓ６'として定義するとき、
前記第２の折り部が形成された状態において、
線分Ｓ５'Ｌ５に沿って付けられた第１の筋と、
線分Ｓ６'Ｌ６に沿って付けられた第２の筋とを備え、
前記線分Ｓ３'Ｌ３が折り目となるように前記縁部Ｓ１Ｓ３'Ｌ３Ａを表面側（又は裏面側）に折り、前記第１の筋に基づいて中央部Ｓ３'Ｓ４'Ｌ４Ｌ３を表面側（又は裏面側）に折り、前記第２の筋に基づいて縁部Ｓ６'Ｌ１'Ｌ２Ｌ６を折り返して重畳部を形成し、この重畳部を前記線分Ｓ４'Ｌ４が折り目となるように表面側（又は裏面側）に折り、前記ポケットＳ１Ｓ３'Ｌ３Ｆに前記重畳部を端縁Ｓ６'Ｌ６から挿入することにより卓上スタンドを形成し、前記卓上スタンドの前記ポケットＳ１Ｓ３'Ｌ３Ｆに前記ポストカード等を挿入できるように構成したことを特徴とする請求項３に記載の包装体。
【請求項５】
ポストカード等の包装，封筒等として用いられる包装体であって、
左回りに頂点をＡ，Ｂ，Ｃ，Ｄとする長方形（又は正方形）ＡＢＣＤにおいて、辺ＤＡ上に線分ＤＳ２＜線分Ｓ２Ｓ１，線分Ｓ１Ａ＜線分Ｓ２Ｓ１となるように点Ａから順に点Ｓ１，Ｓ２を設け、点Ｓ１，Ｓ２から辺ＢＣに下ろした垂線の足をそれぞれ点Ｌ１，Ｌ２とし、辺ＣＤ上に点Ｅを設け、線分ＥＳ１と線分Ｓ２Ｌ２との交点を点Ｆとし、線分Ｌ１Ｌ２上に、点Ｌ１'，Ｌ２'を、線分Ｓ１Ｌ１'に対して点Ｂの線対称となる点Ｂ'が線分ＦＬ２'を超えないように、かつ、線分ＦＬ２'に対して点Ｃの線対称となる点Ｃ'が線分Ｓ１Ｌ１'を超えないように設け、線分ＦＬ２上に線分Ｓ２Ｌ３＜線分Ｌ３Ｌ４，線分Ｌ３Ｌ４−線分ＦＬ３＜線分Ｌ４Ｌ２＜線分Ｌ３Ｌ４となるように点Ｌ３，Ｌ４を設け、点Ｌ３を通り線分ＦＬ２に垂直な直線と線分Ｓ１Ｌ１'，線分ＦＬ２'との交点をそれぞれ点Ｓ３'，Ｌ３'とし、点Ｌ４を通り線分ＦＬ２に垂直な直線と線分Ｓ１Ｌ１'，線分ＦＬ２'との交点をそれぞれ点Ｓ４'，Ｌ４'として定義するとき、
前記包装体は、五角形ＡＢＣＥＳ１の形状をしたシート材からなり、
前記シート材において、
線分Ｓ１Ｌ１'が折り目となるように縁部ＡＢＬ１'Ｓ１を表面側（又は裏面側）に折り返してなる第１の折り部と、
前記第１の折り部が形成された状態において、線分ＦＬ２'が折り目となり、前記第１の折り部に重なるように縁部ＦＬ２'ＣＥを表面側（又は裏面側）に折り返してなる第２の折り部と、
前記第２の折り部が形成された状態において、線分Ｓ３'Ｌ３'が折り目となるように縁部Ｓ１Ｓ３'Ｌ３'Ａを表面側（又は裏面側）に折り返してなる第３の折り部と、
前記第３の折り部が形成された状態において、線分Ｓ４'Ｌ４'が折り目となるように縁部Ｓ４'Ｌ１'Ｌ２'Ｌ４'を表面側（又は裏面側）に折り返してなる第４の折り部とを備え、
前記縁部Ｓ１Ｓ３'Ｌ３'Ａにおいて形成されるポケットＳ１Ｓ３'Ｌ３'Ｆに前記縁部Ｓ４'Ｌ１'Ｌ２'Ｌ４'を端縁Ｌ１'Ｌ２'から挿入できるように構成したことを特徴とする包装体。
【請求項６】
前記長方形（又は正方形）ＡＢＣＤにおいて、線分Ｌ３Ｌ４上に線分Ｓ２Ｌ３＜線分Ｌ３Ｌ５＋線分Ｌ５Ｌ４，線分Ｌ３Ｌ５＜線分Ｓ２Ｌ３＋線分Ｌ５Ｌ４，線分Ｌ５Ｌ４＜線分Ｓ２Ｌ３＋線分Ｌ３Ｌ５となるように点Ｌ５を設け、線分Ｌ４Ｌ２上に線分Ｓ２Ｆ＜線分Ｌ４Ｌ６＜線分Ｓ２Ｌ３，線分Ｌ６Ｌ２＜線分Ｌ４Ｌ６となるように点Ｌ６を設け、点Ｌ５を通り線分ＦＬ２に垂直な直線と線分Ｓ１Ｌ１'，線分ＦＬ２'との交点をそれぞれ点Ｓ５'，Ｌ５'とし、点Ｌ６を通り線分ＦＬ２に垂直な直線と線分Ｓ１Ｌ１'，線分ＦＬ２'との交点をそれぞれ点Ｓ６'，Ｌ６'として定義するとき、
前記第２の折り部が形成された状態において、
線分Ｓ５'Ｌ５'に沿って付けられた第１の筋と、
線分Ｓ６'Ｌ６'に沿って付けられた第２の筋とを備え、
前記線分Ｓ３'Ｌ３'が折り目となるように前記縁部Ｓ１Ｓ３'Ｌ３'Ａを表面側（又は裏面側）に折り、前記第１の筋に基づいて中央部Ｓ３'Ｓ４'Ｌ４'Ｌ３'を表面側（又は裏面側）に折り、前記第２の筋に基づいて縁部Ｓ６'Ｌ１'Ｌ２'Ｌ６'を折り返して重畳部を形成し、この重畳部を前記線分Ｓ４'Ｌ４'が折り目となるように表面側（又は裏面側）に折り、前記ポケットＳ１Ｓ３'Ｌ３'Ｆに前記重畳部を端縁Ｓ６'Ｌ６'から挿入することにより卓上スタンドを形成し、前記卓上スタンドの前記ポケットＳ１Ｓ３'Ｌ３'Ｆに前記ポストカード等を挿入できるように構成したことを特徴とする請求項５に記載の包装体。
【発明の詳細な説明】
【技術分野】
【０００１】
本発明は、ポストカード等の包装，封筒，卓上スタンド等として用いられる包装体に関する。
【背景技術】
【０００２】
ポストカード等をセット販売する際に用いられる包装として、従来、型抜きや切り込み加工がされた紙をケース状や封筒状に折り、切り込みに突出部を挿入したり糊付け等して封緘したものが知られている（例えば、特許文献１参照）。中には、型抜き加工がされたポストカードケースの内側に郵便枠が印刷されており葉書として利用できるようにしたものがある。
【０００３】
また、商業分野における販売促進のためにダイレクトメール等の配布が頻繁に行われている。従来、こうした用途の封筒には、開封されずにそのまま廃棄される可能性があるため、宣伝効果を向上させる目的で様々な創意工夫がなされている。例えば、特許文献２には、型抜き加工がされた封筒自体に宛先の他にカレンダーと宣伝広告とを印刷しておき、三つ折りすることでカレンダーと宣伝広告とを表示する卓上スタンドとしても利用できるようにした技術が開示されている。
【０００４】
一般に、この型抜きや切り込み加工は、トムソン加工と呼ばれる工法により行われている。このトムソン加工とは、ベニヤ板等に所望の形状に刃を配して抜き型（トムソン型という。）を製作し、このトムソン型を用いてプレス機で紙等に抜き加工を行う工法である。
【特許文献１】実用新案登録第３０７７４４２号公報
【特許文献２】実用新案登録第３１０２５０４号公報
【発明の開示】
【発明が解決しようとする課題】
【０００５】
ところで、前述した従来の包装や封筒は、共通して、型抜き，切り込み，突出部，及び糊代等を設ける必要があり、量産するためには、規格化された紙等を所望の形状に加工できるトムソン加工が必須である。
【０００６】
しかしながら、このトムソン加工に用いるトムソン型の製作には、ベニヤ板等の基材，刃，及び型抜きの際に発生する紙等が刃と刃との間に詰まらないように刃の周りに貼るためのスポンジ等を準備し、それらの資材を用いて所望する抜き型に加工する作業が必要である。また、内容物のサイズ変更等により包装や封筒の設計に修正を要する場合には、新たにトムソン型を製作しなければならない。而して、前述した従来の包装や封筒の構造は、量産するためには、コストや時間がかかるという問題があった。
【０００７】
また、前述した従来の包装や封筒は、トムソン加工により、型抜き，切り込み，突出部，及び糊代等が設けられ、切り込みに突出部を挿入したり糊付け等により封緘されているため、展開するのが困難な場合も多い。前述した内側に郵便枠が印刷されたポストカードケースは、葉書として使用する場合にはその形状に切り抜く必要があり煩雑であった。而して、前述した従来の包装や封筒には、展開した紙全体を、例えば、リーフレットや便箋として利用するという技術的思想は見当たらない。
【０００８】
さらに、従来の、三つ折りすることでカレンダーと宣伝広告とを表示する卓上スタンドとしても利用できるようにした封筒については、トムソン加工が必要であることに加えて、自立するスタンドにカレンダーを差し込むタイプではないため、カレンダーの表示を変更できないという問題があった。
【０００９】
そこで、本発明が解決しようとする課題は、コストや時間を削減し、簡易な作業をするだけで包装や封筒としてのみならず、リーフレットや便箋等としても利用することができる包装体を提供することである。また、本発明が解決しようとする課題は、これに加えて、ポストカード等を差し込むタイプの卓上スタンドとしても利用できる包装体を提供することである。
【課題を解決するための手段】
【００１０】
本発明は、前記課題を解決するためになされたもので、請求項１に記載の発明は、ポストカード等の包装，封筒等として用いられる包装体であって、左回りに頂点をＡ，Ｂ，Ｃ，Ｄとする長方形（又は正方形）ＡＢＣＤにおいて、辺ＤＡ上に線分Ｓ１Ａ＜線分Ｓ２Ｓ１となるように点Ａから順に点Ｓ１，Ｓ２を設け、点Ｓ１，Ｓ２から辺ＢＣに下ろした垂線の足をそれぞれ点Ｌ１，Ｌ２とし、辺ＣＤ上に点Ｅを設け、線分ＥＳ１と線分Ｓ２Ｌ２との交点を点Ｆとし、線分Ｌ１Ｌ２上に、線分ＦＬ２'に対して点Ｃの線対称となる点Ｃ'が線分Ｓ１Ｌ１を超えないように点Ｌ２'を設け、線分ＦＬ２上に線分Ｓ２Ｌ３＜線分Ｌ３Ｌ４，線分Ｌ３Ｌ４−線分ＦＬ３＜線分Ｌ４Ｌ２＜線分Ｌ３Ｌ４となるように点Ｌ３，Ｌ４を設け、点Ｌ３を通り線分ＦＬ２に垂直な直線と線分Ｓ１Ｌ１，線分ＦＬ２'との交点をそれぞれ点Ｓ３，Ｌ３'とし、点Ｌ４を通り線分ＦＬ２に垂直な直線と線分Ｓ１Ｌ１，線分ＦＬ２'との交点をそれぞれ点Ｓ４，Ｌ４'として定義するとき、前記包装体は、五角形ＡＢＣＥＳ１の形状をしたシート材からなり、前記シート材において、線分Ｓ１Ｌ１が折り目となるように縁部ＡＢＬ１Ｓ１を表面側（又は裏面側）に折り返してなる第１の折り部と、前記第１の折り部が形成された状態において、線分ＦＬ２'が折り目となり、前記第１の折り部に重なるように縁部ＦＬ２'ＣＥを表面側（又は裏面側）に折り返してなる第２の折り部と、前記第２の折り部が形成された状態において、線分Ｓ３Ｌ３'が折り目となるように縁部Ｓ１Ｓ３Ｌ３'Ａを表面側（又は裏面側）に折り返してなる第３の折り部と、前記第３の折り部が形成された状態において、線分Ｓ４Ｌ４'が折り目となるように縁部Ｓ４Ｌ１Ｌ２'Ｌ４'を表面側（又は裏面側）に折り返してなる第４の折り部とを備え、前記縁部Ｓ１Ｓ３Ｌ３'Ａにおいて形成されるポケットＳ１Ｓ３Ｌ３'Ｆに前記縁部Ｓ４Ｌ１Ｌ２'Ｌ４'を端縁Ｌ１Ｌ２'から挿入できるように構成したことを特徴とする。
【００１１】
また、請求項３に記載の発明は、ポストカード等の包装，封筒等として用いられる包装体であって、左回りに頂点をＡ，Ｂ，Ｃ，Ｄとする長方形（又は正方形）ＡＢＣＤにおいて、辺ＤＡ上に線分ＤＳ２＜線分Ｓ２Ｓ１となるように点Ａから順に点Ｓ１，Ｓ２を設け、点Ｓ１，Ｓ２から辺ＢＣに下ろした垂線の足をそれぞれ点Ｌ１，Ｌ２とし、辺ＣＤ上に点Ｅを設け、線分ＥＳ１と線分Ｓ２Ｌ２との交点を点Ｆとし、線分Ｌ１Ｌ２上に、線分Ｓ１Ｌ１'に対して点Ｂの線対称となる点Ｂ'が線分ＦＬ２を超えないように点Ｌ１'を設け、線分ＦＬ２上に線分Ｓ２Ｌ３＜線分Ｌ３Ｌ４，線分Ｌ３Ｌ４−線分ＦＬ３＜線分Ｌ４Ｌ２＜線分Ｌ３Ｌ４となるように点Ｌ３，Ｌ４を設け、点Ｌ３を通り線分ＦＬ２に垂直な直線と線分Ｓ１Ｌ１'との交点を点Ｓ３'とし、点Ｌ４を通り線分ＦＬ２に垂直な直線と線分Ｓ１Ｌ１'との交点を点Ｓ４'として定義するとき、前記包装体は、五角形ＡＢＣＥＳ１の形状をしたシート材からなり、前記シート材において、線分Ｓ１Ｌ１'が折り目となるように縁部ＡＢＬ１'Ｓ１を表面側（又は裏面側）に折り返してなる第１の折り部と、前記第１の折り部が形成された状態において、線分ＦＬ２が折り目となり、前記第１の折り部に重なるように縁部ＦＬ２ＣＥを表面側（又は裏面側）に折り返してなる第２の折り部と、前記第２の折り部が形成された状態において、線分Ｓ３'Ｌ３が折り目となるように縁部Ｓ１Ｓ３'Ｌ３Ａを表面側（又は裏面側）に折り返してなる第３の折り部と、前記第３の折り部が形成された状態において、線分Ｓ４'Ｌ４が折り目となるように縁部Ｓ４'Ｌ１'Ｌ２Ｌ４を表面側（又は裏面側）に折り返してなる第４の折り部とを備え、前記縁部Ｓ１Ｓ３'Ｌ３Ａにおいて形成されるポケットＳ１Ｓ３'Ｌ３Ｆに前記縁部Ｓ４'Ｌ１'Ｌ２Ｌ４を端縁Ｌ１'Ｌ２から挿入できるように構成したことを特徴とする。
【００１２】
さらに、請求項５に記載の発明は、ポストカード等の包装，封筒等として用いられる包装体であって、左回りに頂点をＡ，Ｂ，Ｃ，Ｄとする長方形（又は正方形）ＡＢＣＤにおいて、辺ＤＡ上に線分ＤＳ２＜線分Ｓ２Ｓ１，線分Ｓ１Ａ＜線分Ｓ２Ｓ１となるように点Ａから順に点Ｓ１，Ｓ２を設け、点Ｓ１，Ｓ２から辺ＢＣに下ろした垂線の足をそれぞれ点Ｌ１，Ｌ２とし、辺ＣＤ上に点Ｅを設け、線分ＥＳ１と線分Ｓ２Ｌ２との交点を点Ｆとし、線分Ｌ１Ｌ２上に、点Ｌ１'，Ｌ２'を、線分Ｓ１Ｌ１'に対して点Ｂの線対称となる点Ｂ'が線分ＦＬ２'を超えないように、かつ、線分ＦＬ２'に対して点Ｃの線対称となる点Ｃ'が線分Ｓ１Ｌ１'を超えないように設け、線分ＦＬ２上に線分Ｓ２Ｌ３＜線分Ｌ３Ｌ４，線分Ｌ３Ｌ４−線分ＦＬ３＜線分Ｌ４Ｌ２＜線分Ｌ３Ｌ４となるように点Ｌ３，Ｌ４を設け、点Ｌ３を通り線分ＦＬ２に垂直な直線と線分Ｓ１Ｌ１'，線分ＦＬ２'との交点をそれぞれ点Ｓ３'，Ｌ３'とし、点Ｌ４を通り線分ＦＬ２に垂直な直線と線分Ｓ１Ｌ１'，線分ＦＬ２'との交点をそれぞれ点Ｓ４'，Ｌ４'として定義するとき、前記包装体は、五角形ＡＢＣＥＳ１の形状をしたシート材からなり、前記シート材において、線分Ｓ１Ｌ１'が折り目となるように縁部ＡＢＬ１'Ｓ１を表面側（又は裏面側）に折り返してなる第１の折り部と、前記第１の折り部が形成された状態において、線分ＦＬ２'が折り目となり、前記第１の折り部に重なるように縁部ＦＬ２'ＣＥを表面側（又は裏面側）に折り返してなる第２の折り部と、前記第２の折り部が形成された状態において、線分Ｓ３'Ｌ３'が折り目となるように縁部Ｓ１Ｓ３'Ｌ３'Ａを表面側（又は裏面側）に折り返してなる第３の折り部と、前記第３の折り部が形成された状態において、線分Ｓ４'Ｌ４'が折り目となるように縁部Ｓ４'Ｌ１'Ｌ２'Ｌ４'を表面側（又は裏面側）に折り返してなる第４の折り部とを備え、前記縁部Ｓ１Ｓ３'Ｌ３'Ａにおいて形成されるポケットＳ１Ｓ３'Ｌ３'Ｆに前記縁部Ｓ４'Ｌ１'Ｌ２'Ｌ４'を端縁Ｌ１'Ｌ２'から挿入できるように構成したことを特徴とする。
【００１３】
請求項１，３，５に記載の発明によれば、前記包装体は、型抜き，切り込み，突出部，及び糊代等を設ける必要がないため、トムソン加工の工程を省くことができる。したがって、前記包装体を量産するためのコストや時間を削減することができる。
【００１４】
また、前記第１の折り部又は／及び前記第２の折り部は、点Ｌ１'又は／及び点Ｌ２'を基点として斜めに折り返されるようにしたため、前記縁部Ｓ４Ｌ１Ｌ２'Ｌ４'等は先細りの形状となり、前記縁部Ｓ４Ｌ１Ｌ２'Ｌ４'等の端縁のサイズが前記ポケットＳ１Ｓ３Ｌ３'Ｆ等の前記開口部のサイズよりも小さくなる。
【００１５】
また、前記包装体は、線分ＥＳ１に沿って裁断することで開口部が斜めになった前記ポケットＳ１Ｓ３Ｌ３'Ｆ等が形成される。前記縁部Ｓ４Ｌ１Ｌ２'Ｌ４'等の前記端縁Ｌ１Ｌ２'等は、このポケットの開口部が斜めになっていることで前記縁部ＡＢＬ１Ｓ１等に形成される線分Ｓ１Ａを一辺とする三角形の面を滑りながら前記ポケットＳ１Ｓ３Ｌ３'Ｆ等に挿入されるようになっている。
【００１６】
さらに、前記包装体は、前記第１の折り部と前記第２の折り部とをこの順に折り重ねているため、前記ポケットＳ１Ｓ３Ｌ３'Ｆ等において、斜めに裁断した側の前記縁部ＦＬ２'ＣＥ等が斜めに裁断していない側の前記縁部ＡＢＬ１Ｓ１等の下側に来る。したがって、前記端縁Ｌ１Ｌ２'等を前記ポケットＳ１Ｓ３Ｌ３'Ｆ等に挿入する際、斜めに裁断した側の前記縁部ＦＬ２'ＣＥ等が邪魔にならない。
【００１７】
このように、前記包装体は、前記端縁Ｌ１Ｌ２'等が前記開口部のサイズよりも小さく折り込まれており、前記三角形の面が前記端縁Ｌ１Ｌ２'等を前記ポケットＳ１Ｓ３Ｌ３'Ｆ等に挿入する際のガイドの役目を果たし、前記ポケットＳ１Ｓ３Ｌ３'Ｆ等において、斜めに裁断した側の前記縁部ＦＬ２'ＣＥ等が斜めに裁断していない側の前記縁部ＡＢＬ１Ｓ１等の下側に来るため、前記包装体の封をする作業をスムーズにでき、簡易な作業をするだけで前記包装体をスピーディに製造することができる。
【００１８】
ここで、前記包装体は、前記包装体の封をする際にポストカード等を入れることでポストカード等入りケースとして利用することができる。また、前記包装体は、型抜き，切り込み，突出部，及び糊代等がなく、切り込みに突出部を挿入したり糊付け等もされないため、容易に展開でき、展開後、多少の折り目が残るものの滑らかなシートとなる。したがって、展開した前記包装体の内側を、例えば、リーフレットや便箋として利用することができる。
【００１９】
請求項２に記載の発明は、請求項１において、前記長方形（又は正方形）ＡＢＣＤにおいて、線分Ｌ３Ｌ４上に線分Ｓ２Ｌ３＜線分Ｌ３Ｌ５＋線分Ｌ５Ｌ４，線分Ｌ３Ｌ５＜線分Ｓ２Ｌ３＋線分Ｌ５Ｌ４，線分Ｌ５Ｌ４＜線分Ｓ２Ｌ３＋線分Ｌ３Ｌ５となるように点Ｌ５を設け、線分Ｌ４Ｌ２上に線分Ｓ２Ｆ＜線分Ｌ４Ｌ６＜線分Ｓ２Ｌ３，線分Ｌ６Ｌ２＜線分Ｌ４Ｌ６となるように点Ｌ６を設け、点Ｌ５を通り線分ＦＬ２に垂直な直線と線分Ｓ１Ｌ１，線分ＦＬ２'との交点をそれぞれ点Ｓ５，Ｌ５'とし、点Ｌ６を通り線分ＦＬ２に垂直な直線と線分Ｓ１Ｌ１，線分ＦＬ２'との交点をそれぞれ点Ｓ６，Ｌ６'として定義するとき、前記第２の折り部が形成された状態において、線分Ｓ５Ｌ５'に沿って付けられた第１の筋と、線分Ｓ６Ｌ６'に沿って付けられた第２の筋とを備え、前記線分Ｓ３Ｌ３'が折り目となるように前記縁部Ｓ１Ｓ３Ｌ３'Ａを表面側（又は裏面側）に折り、前記第１の筋に基づいて中央部Ｓ３Ｓ４Ｌ４'Ｌ３'を表面側（又は裏面側）に折り、前記第２の筋に基づいて縁部Ｓ６Ｌ１Ｌ２'Ｌ６'を折り返して重畳部を形成し、この重畳部を前記線分Ｓ４Ｌ４'が折り目となるように表面側（又は裏面側）に折り、前記ポケットＳ１Ｓ３Ｌ３'Ｆに前記重畳部を端縁Ｓ６Ｌ６'から挿入することにより卓上スタンドを形成し、前記卓上スタンドの前記ポケットＳ１Ｓ３Ｌ３'Ｆに前記ポストカード等を挿入できるように構成したことを特徴とする。
【００２０】
また、請求項４に記載の発明は、請求項３において、前記長方形（又は正方形）ＡＢＣＤにおいて、線分Ｌ３Ｌ４上に線分Ｓ２Ｌ３＜線分Ｌ３Ｌ５＋線分Ｌ５Ｌ４，線分Ｌ３Ｌ５＜線分Ｓ２Ｌ３＋線分Ｌ５Ｌ４，線分Ｌ５Ｌ４＜線分Ｓ２Ｌ３＋線分Ｌ３Ｌ５となるように点Ｌ５を設け、線分Ｌ４Ｌ２上に線分Ｓ２Ｆ＜線分Ｌ４Ｌ６＜線分Ｓ２Ｌ３，線分Ｌ６Ｌ２＜線分Ｌ４Ｌ６となるように点Ｌ６を設け、点Ｌ５を通り線分ＦＬ２に垂直な直線と線分Ｓ１Ｌ１'との交点を点Ｓ５'とし、点Ｌ６を通り線分ＦＬ２に垂直な直線と線分Ｓ１Ｌ１'との交点を点Ｓ６'として定義するとき、前記第２の折り部が形成された状態において、線分Ｓ５'Ｌ５に沿って付けられた第１の筋と、線分Ｓ６'Ｌ６に沿って付けられた第２の筋とを備え、前記線分Ｓ３'Ｌ３が折り目となるように前記縁部Ｓ１Ｓ３'Ｌ３Ａを表面側（又は裏面側）に折り、前記第１の筋に基づいて中央部Ｓ３'Ｓ４'Ｌ４Ｌ３を表面側（又は裏面側）に折り、前記第２の筋に基づいて縁部Ｓ６'Ｌ１'Ｌ２Ｌ６を折り返して重畳部を形成し、この重畳部を前記線分Ｓ４'Ｌ４が折り目となるように表面側（又は裏面側）に折り、前記ポケットＳ１Ｓ３'Ｌ３Ｆに前記重畳部を端縁Ｓ６'Ｌ６から挿入することにより卓上スタンドを形成し、前記卓上スタンドの前記ポケットＳ１Ｓ３'Ｌ３Ｆに前記ポストカード等を挿入できるように構成したことを特徴とする。
【００２１】
さらに、請求項６に記載の発明は、請求項５において、前記長方形（又は正方形）ＡＢＣＤにおいて、線分Ｌ３Ｌ４上に線分Ｓ２Ｌ３＜線分Ｌ３Ｌ５＋線分Ｌ５Ｌ４，線分Ｌ３Ｌ５＜線分Ｓ２Ｌ３＋線分Ｌ５Ｌ４，線分Ｌ５Ｌ４＜線分Ｓ２Ｌ３＋線分Ｌ３Ｌ５となるように点Ｌ５を設け、線分Ｌ４Ｌ２上に線分Ｓ２Ｆ＜線分Ｌ４Ｌ６＜線分Ｓ２Ｌ３，線分Ｌ６Ｌ２＜線分Ｌ４Ｌ６となるように点Ｌ６を設け、点Ｌ５を通り線分ＦＬ２に垂直な直線と線分Ｓ１Ｌ１'，線分ＦＬ２'との交点をそれぞれ点Ｓ５'，Ｌ５'とし、点Ｌ６を通り線分ＦＬ２に垂直な直線と線分Ｓ１Ｌ１'，線分ＦＬ２'との交点をそれぞれ点Ｓ６'，Ｌ６'として定義するとき、前記第２の折り部が形成された状態において、線分Ｓ５'Ｌ５'に沿って付けられた第１の筋と、線分Ｓ６'Ｌ６'に沿って付けられた第２の筋とを備え、前記線分Ｓ３'Ｌ３'が折り目となるように前記縁部Ｓ１Ｓ３'Ｌ３'Ａを表面側（又は裏面側）に折り、前記第１の筋に基づいて中央部Ｓ３'Ｓ４'Ｌ４'Ｌ３'を表面側（又は裏面側）に折り、前記第２の筋に基づいて縁部Ｓ６'Ｌ１'Ｌ２'Ｌ６'を折り返して重畳部を形成し、この重畳部を前記線分Ｓ４'Ｌ４'が折り目となるように表面側（又は裏面側）に折り、前記ポケットＳ１Ｓ３'Ｌ３'Ｆに前記重畳部を端縁Ｓ６'Ｌ６'から挿入することにより卓上スタンドを形成し、前記卓上スタンドの前記ポケットＳ１Ｓ３'Ｌ３'Ｆに前記ポストカード等を挿入できるように構成したことを特徴とする。
【００２２】
請求項２，４，６に記載の発明によれば、前記包装体は、三角形の成立条件を満たすように前記第１の筋と前記第２の筋とが設けられ、前記線分Ｓ３Ｌ３'等が折り目となるように前記縁部Ｓ１Ｓ３Ｌ３'Ａ等を表面側（又は裏面側）に折り、前記第１の筋に基づいて中央部Ｓ３Ｓ４Ｌ４'Ｌ３'等を表面側（又は裏面側）に折り、前記第２の筋に基づいて縁部Ｓ６Ｌ１Ｌ２'Ｌ６'等を折り返して重畳部を形成し、この重畳部を前記線分Ｓ４Ｌ４'が折り目となるように表面側（又は裏面側）に折り、前記ポケットＳ１Ｓ３Ｌ３'Ｆ等に前記重畳部を端縁Ｓ６Ｌ６'等から挿入するようにしたため、前記ポケットＳ１Ｓ３Ｌ３'Ｆ等を備えた前記卓上スタンドを形成できる。したがって、前記包装体は、請求項１，３，５による効果に加えて、ポストカード等を差し込むタイプの卓上スタンドとしても利用できる。
【発明の効果】
【００２３】
本発明によれば、コストや時間を削減し、簡易な作業をするだけで包装や封筒としてのみならず、リーフレットや便箋等としても利用することができる包装体を提供することができる。また、これに加えて、ポストカード等を差し込むタイプの卓上スタンドとしても利用できる包装体を提供することができる。
【発明を実施するための最良の形態】
【００２４】
以下、本発明を適用した具体的な実施の形態について、図面を参照しながら詳細に説明する。本発明は、例えば図１に示すような構成の包装体１に適用される。
【００２５】
１．シート材に付した点の位置関係
先ず、図１を参照して、シート材に付した点の位置関係について説明する。長方形の頂点を左回りにＡ，Ｂ，Ｃ，Ｄとする。長方形は正方形であってもよい（以下、正方形を省略する。）。そして、長方形ＡＢＣＤにおいて、辺ＤＡ上に線分ＤＳ２＜線分Ｓ２Ｓ１，線分Ｓ１Ａ＜線分Ｓ２Ｓ１となるように点Ａから順に点Ｓ１，Ｓ２を設ける。点Ｓ１，Ｓ２は縁部ＡＢＬ１Ｓ１等と縁部ＦＬ２'ＣＥ等とを折り返す基準となる点であり、線分ＤＳ２＜線分Ｓ２Ｓ１，線分Ｓ１Ａ＜線分Ｓ２Ｓ１とするのは縁部ＡＢＬ１Ｓ１等，縁部ＦＬ２'ＣＥ等の順に折り返したときに互いの折り目である線分ＦＬ２'等，線分Ｓ１Ｌ１等をそれぞれの縁部が超えないようにするためである。具体的な点Ｓ１，Ｓ２の位置は、包装する内容物の大きさやシート材の大きさ等を考慮して決められる。
【００２６】
次に、点Ｓ１，Ｓ２から辺ＢＣに下ろした垂線の足をそれぞれ点Ｌ１，Ｌ２とする。また、辺ＣＤ上に点Ｅを設け、線分ＥＳ１と線分Ｓ２Ｌ２との交点を点Ｆとする。具体的な点Ｅの位置は、包装する内容物の位置や大きさ（図１において、点Ｓ３，Ｓ４，Ｌ４'Ｌ３'等の位置）等を考慮して決められる。図１において点Ｌ２'は、線分Ｌ１Ｌ２上に、線分ＦＬ２'に対して点Ｃの線対称となる点Ｃ'が線分Ｓ１Ｌ１又は線分Ｓ１Ｌ１'を超えないように設けられた点である。また、図１において点Ｌ１'は、線分Ｌ１Ｌ２上に、線分Ｓ１Ｌ１'に対して点Ｂの線対称となる点Ｂ'が線分ＦＬ２又は線分ＦＬ２'を超えないように設けられた点である。
【００２７】
ここで、点Ｃ'は線分ＦＬ２'を折り目として縁部ＦＬ２'ＣＥを折り返したときに点Ｃが移動した点であり、点Ｂ'は線分Ｓ１Ｌ１'を折り目として縁部ＡＢＬ１'Ｓ１を折り返したときに点Ｂが移動した点である。これらの条件を設けているのは、縁部ＡＢＬ１'Ｓ１等，縁部ＦＬ２'ＣＥ等の順に折り返したときに互いの折り目である線分ＦＬ２'等，線分Ｓ１Ｌ１'等をそれぞれの縁部が超えないようにするためである。
【００２８】
次に、線分ＦＬ２上に線分Ｓ２Ｌ３＜線分Ｌ３Ｌ４，線分Ｌ３Ｌ４−線分ＦＬ３＜線分Ｌ４Ｌ２＜線分Ｌ３Ｌ４となるように点Ｌ３，Ｌ４を設ける。線分Ｓ２Ｌ３＜線分Ｌ３Ｌ４は、線分Ｓ３Ｌ３'等を折り目として縁部Ｓ１Ｓ３Ｌ３'Ａ等を折り返したときに縁部Ｓ１Ｓ３Ｌ３'Ａ等が縁部Ｓ４Ｌ１Ｌ２'Ｌ４'等の折り目である線分Ｓ４Ｌ４'等を超えないようにするための条件である。
【００２９】
ここで、図１において、点Ｓ３，Ｓ３'，Ｌ３'は、それぞれ、点Ｌ３を通り線分ＦＬ２に垂直な直線と線分Ｓ１Ｌ１，線分Ｓ１Ｌ１'，線分ＦＬ２'との交点であり、点Ｓ４，Ｓ４'，Ｌ４'は、それぞれ、点Ｌ４を通り線分ＦＬ２に垂直な直線と線分Ｓ１Ｌ１，線分Ｓ１Ｌ１'，線分ＦＬ２'との交点である。
【００３０】
線分Ｌ３Ｌ４−線分ＦＬ３＜線分Ｌ４Ｌ２は、線分Ｓ４Ｌ４'等を折り目として縁部Ｓ４Ｌ１Ｌ２'Ｌ４'等を折り返したときに、縁部Ｓ４Ｌ１Ｌ２'Ｌ４'等の端縁Ｌ１Ｌ２'等が、線分Ｓ３Ｌ３'等を折り目として縁部Ｓ１Ｓ３Ｌ３'Ａ等を折り返したときの線分ＨＦ又は線分Ｈ'Ｆ（点Ｈは、点Ｆから線分Ｓ１Ｌ１に下ろした垂線の足であり、点Ｈ'は、線分ＨＦと線分Ｓ１Ｌ１'との交点である。）を超えてポケット１５（Ｓ１Ｓ３Ｌ３'Ｆ等）に挿入されるための条件である。
【００３１】
また、線分Ｌ４Ｌ２＜線分Ｌ３Ｌ４は、線分Ｓ４Ｌ４'等を折り目として縁部Ｓ４Ｌ１Ｌ２'Ｌ４'等を折り返したときに縁部Ｓ４Ｌ１Ｌ２'Ｌ４'等が縁部Ｓ１Ｓ３Ｌ３'Ａ等の折り目である線分Ｓ３Ｌ３'等を超えないようにするための条件である。具体的な点Ｓ３，Ｓ４，Ｌ４'Ｌ３'等の位置は、包装する内容物の大きさを考慮して決められる。
【００３２】
次に、線分Ｌ３Ｌ４上に線分Ｓ２Ｌ３＜線分Ｌ３Ｌ５＋線分Ｌ５Ｌ４，線分Ｌ３Ｌ５＜線分Ｓ２Ｌ３＋線分Ｌ５Ｌ４，線分Ｌ５Ｌ４＜線分Ｓ２Ｌ３＋線分Ｌ３Ｌ５となるように点Ｌ５を設ける。この条件は、線分Ｓ２Ｌ３，線分Ｌ３Ｌ５，線分Ｌ５Ｌ４を各辺とする三角形の成立条件である。また、線分Ｌ４Ｌ２上に線分Ｓ２Ｆ＜線分Ｌ４Ｌ６＜線分Ｓ２Ｌ３，線分Ｌ６Ｌ２＜線分Ｌ４Ｌ６となるように点Ｌ６を設ける。線分Ｌ６Ｌ２＜線分Ｌ４Ｌ６は、線分Ｓ６Ｌ６'等を折り目として縁部Ｓ６Ｌ１Ｌ２'Ｌ６'等を折り返して重畳部を形成したとき、縁部Ｓ６Ｌ１Ｌ２'Ｌ６'等の端縁Ｌ１Ｌ２'等が重畳部の折り目となる線分Ｓ４Ｌ４'等を超えないようにするための条件である。また、線分Ｓ２Ｆ＜線分Ｌ４Ｌ６＜線分Ｓ２Ｌ３は、この重畳部がポケット１５（Ｓ１Ｓ３Ｌ３'Ｆ等）に収納されるための条件である。
【００３３】
ここで、図１において、点Ｓ５，Ｓ５'，Ｌ５'は、それぞれ、点Ｌ５を通り線分ＦＬ２に垂直な直線と線分Ｓ１Ｌ１，線分Ｓ１Ｌ１'，線分ＦＬ２'との交点であり、点Ｓ６，Ｓ６'，Ｌ６'は、それぞれ、点Ｌ６を通り線分ＦＬ２に垂直な直線と線分Ｓ１Ｌ１，線分Ｓ１Ｌ１'，線分ＦＬ２'との交点である。
【００３４】
次に、Ｓ１Ｌ１又は線分Ｓ１Ｌ１'を折り目として縁部ＡＢＬ１Ｓ１等を折り返したときに辺ＡＢが線分Ｓ１Ｆと交わる点を点Ｋとする。
【００３５】
２．包装体１の構成及び加工法
続いて、図１乃至図９を参照して、本発明の第１乃至第１８実施例に係る包装体１の構成及び加工法について説明する。本発明の第１及び第２実施例，第４及び第５実施例，第７及び第８実施例，並びに，第１０及び第１１実施例，第１３及び第１４実施例，第１６及び第１７実施例に係る包装体１は、五角形ＡＢＣＥＳ１の形状をしたシート材からなり、本発明の第３，第６，第９実施例，並びに，第１２，第１５，第１８実施例に係る包装体１は、長方形ＡＢＣＤの形状をしたシート材からなる。シート材は折り畳みが容易で、折り目を維持でき、折り目以外の部分ではある程度の固さを持って内容物を保護することができ、卓上スタンドにした際に自立可能な紙等の素材が好適である。五角形ＡＢＣＥＳ１の形状をしたシート材は、規格化されたシート材を線分Ｓ１Ｅに沿って裁断することにより得られる。
【００３６】
本発明の第３，第６，第９実施例は、最初に、長方形ＡＢＣＤの形状をしたシート材を線分Ｓ１Ｅが折り目となるように三角形ＤＳ１Ｅを表面側に折り返して五角形ＡＢＣＥＳ１を形成する。その他の構成及びその後の加工法は、それぞれ、本発明の第１又は第２実施例，第４又は第５実施例，第７又は第８実施例と同一である。また、本発明の第１０乃至第１８実施例は、本発明の第１乃至第９実施例を左右対称としたものとそれぞれ対応している。本発明の第１乃至第９実施例における折り方向が全て表面側であるため、本発明の第１乃至第９実施例において折り方向を全て裏面側に変更すると、本発明の第１０乃至第１８実施例とそれぞれ対応する。また、以下において、包装体１の封をする作業を除いて折り加工は折り機を用いて行う。
【００３７】
本発明の第１及び第２実施例に係る包装体１は、図２に示すように、線分Ｓ１Ｌ１が折り目となるように縁部２１（ＡＢＬ１Ｓ１）を表面側に折り返してなる折り部１１と、図３に示すように、折り部１１が形成された状態において、線分ＦＬ２'が折り目となるように縁部２２（ＦＬ２'ＣＥ）を表面側に折り返してなる折り部１２とを備えている。
【００３８】
また、本発明の第１及び第２実施例に係る包装体１は、図４に示すように、折り部１２が形成された状態において、線分Ｓ３Ｌ３'が折り目となるように縁部２３（Ｓ１Ｓ３Ｌ３'Ａ）を表面側に折り返してなる折り部１３と、折り部１３が形成された状態において、線分Ｓ４Ｌ４'が折り目となるように縁部２４（Ｓ４Ｌ１Ｌ２'Ｌ４'）を表面側に折り返してなる折り部１４とを備えている。
【００３９】
また、本発明の第１及び第２実施例に係る包装体１は、図５に示すように、縁部２３（Ｓ１Ｓ３Ｌ３'Ａ）においてポケット１５（Ｓ１Ｓ３Ｌ３'Ｆ）が形成され、このポケット１５に縁部２４（Ｓ４Ｌ１Ｌ２'Ｌ４'）を端縁Ｌ１Ｌ２'から挿入できるように構成されている。この挿入作業は折り機ではなく手作業により行う。この際、包装体１にポストカード等を入れることでポストカード等入りケースが完成する。
【００４０】
また、本発明の第２実施例に係る包装体１は、図６に示すように、折り部１２が形成された状態において、線分Ｓ５Ｌ５'に沿って付けられた筋１６と、線分Ｓ６Ｌ６'に沿って付けられた筋１７とを備えている。ここで、折り部１２が形成された状態において筋をつけるのは、縁部２２（ＦＬ２'ＣＥ）が線分ＦＬ２'を折り目として斜めに折り返されているため、縁部２２（ＦＬ２'ＣＥ）が展開した状態で筋をつけると縁部２２（ＦＬ２'ＣＥ）を折り返したときに筋がずれるからである。この筋付けは、折り機に筋付け刃を取り付けて行う。
【００４１】
さらに、本発明の第２実施例に係る包装体１は、図７に示すように、線分Ｓ３Ｌ３'が折り目となるように縁部２３（Ｓ１Ｓ３Ｌ３'Ａ）を表面側に折り、筋１６に基づいて中央部２５（Ｓ３Ｓ４Ｌ４'Ｌ３'）を表面側に折り、筋１７に基づいて縁部２６（Ｓ６Ｌ１Ｌ２'Ｌ６'）を折り返して重畳部２７を形成し、この重畳部２７を線分Ｓ４Ｌ４'が折り目となるように表面側に折り、ポケット１５に重畳部２７を端縁Ｓ６Ｌ６'から挿入することにより、図８に示すような卓上スタンド１００が形成されるように構成されている。本発明の第２実施例に係る包装体１を卓上スタンド１００として使用する際は、図９に示すように、卓上スタンド１００のポケット１５にポストカード等を挿入する。
【００４２】
本発明の第４及び第５実施例に係る包装体１は、線分Ｓ１Ｌ１'が折り目となるように縁部４１（ＡＢＬ１'Ｓ１）を表面側に折り返してなる折り部３１と、折り部３１が形成された状態において、線分ＦＬ２が折り目となるように縁部４２（ＦＬ２ＣＥ）を表面側に折り返してなる折り部３２とを備えている。
【００４３】
また、本発明の第４及び第５実施例に係る包装体１は、折り部３２が形成された状態において、線分Ｓ３'Ｌ３が折り目となるように縁部４３（Ｓ１Ｓ３'Ｌ３Ａ）を表面側に折り返してなる折り部３３と、折り部３３が形成された状態において、線分Ｓ４'Ｌ４が折り目となるように縁部４４（Ｓ４'Ｌ１'Ｌ２Ｌ４）を表面側に折り返してなる折り部３４とを備えている。
【００４４】
また、本発明の第４及び第５実施例に係る包装体１は、縁部４３（Ｓ１Ｓ３'Ｌ３Ａ）においてポケット３５（Ｓ１Ｓ３'Ｌ３Ｆ）が形成され、このポケット３５に縁部４４（Ｓ４'Ｌ１'Ｌ２Ｌ４）を端縁Ｌ１'Ｌ２から挿入できるように構成されている。この挿入作業は折り機ではなく手作業により行う。この際、包装体１にポストカード等を入れることでポストカード等入りケースが完成する。
【００４５】
また、本発明の第５実施例に係る包装体１は、折り部３２が形成された状態において、線分Ｓ５'Ｌ５に沿って付けられた筋３６と、線分Ｓ６'Ｌ６に沿って付けられた筋３７とを備えている。ここで、折り部３２が形成された状態において筋をつけるのは、縁部４１（ＡＢＬ１'Ｓ１）が線分Ｓ１Ｌ１'を折り目として斜めに折り返されているため、縁部４１（ＡＢＬ１'Ｓ１）が展開した状態で筋をつけると縁部４１（ＡＢＬ１'Ｓ１）を折り返したときに筋がずれるからである。この筋付けは、折り機に筋付け刃を取り付けて行う。
【００４６】
さらに、本発明の第５実施例に係る包装体１は、線分Ｓ３'Ｌ３が折り目となるように縁部４３（Ｓ１Ｓ３'Ｌ３Ａ）を表面側に折り、筋３６に基づいて中央部４５（Ｓ３'Ｓ４'Ｌ４Ｌ３）を表面側に折り、筋３７に基づいて縁部４６（Ｓ６'Ｌ１'Ｌ２Ｌ６）を折り返して重畳部４７を形成し、この重畳部４７を線分Ｓ４'Ｌ４が折り目となるように表面側に折り、ポケット３５に重畳部４７を端縁Ｓ６'Ｌ６から挿入することにより、図８に示すような卓上スタンド１００が形成されるように構成されている。本発明の第５実施例に係る包装体１を卓上スタンド１００として使用する際は、図９に示すように、卓上スタンド１００のポケット３５にポストカード等を挿入する。
【００４７】
本発明の第７及び第８実施例に係る包装体１は、線分Ｓ１Ｌ１'が折り目となるように縁部４１（ＡＢＬ１'Ｓ１）を表面側に折り返してなる折り部３１と、折り部３１が形成された状態において、線分ＦＬ２'が折り目となるように縁部２２（ＦＬ２'ＣＥ）を表面側に折り返してなる折り部１２とを備えている。
【００４８】
また、本発明の第７及び第８実施例に係る包装体１は、折り部１２が形成された状態において、線分Ｓ３'Ｌ３'が折り目となるように縁部６３（Ｓ１Ｓ３'Ｌ３'Ａ）を表面側に折り返してなる折り部５３と、折り部５３が形成された状態において、線分Ｓ４'Ｌ４'が折り目となるように縁部６４（Ｓ４'Ｌ１'Ｌ２'Ｌ４'）を表面側に折り返してなる折り部５４とを備えている。
【００４９】
また、本発明の第７及び第８実施例に係る包装体１は、縁部６３（Ｓ１Ｓ３'Ｌ３'Ａ）においてポケット５５（Ｓ１Ｓ３'Ｌ３'Ｆ）が形成され、このポケット５５に縁部６４（Ｓ４'Ｌ１'Ｌ２'Ｌ４'）を端縁Ｌ１'Ｌ２'から挿入できるように構成されている。この挿入作業は折り機ではなく手作業により行う。この際、包装体１にポストカード等を入れることでポストカード等入りケースが完成する。
【００５０】
また、本発明の第８実施例に係る包装体１は、折り部１２が形成された状態において、線分Ｓ５'Ｌ５'に沿って付けられた筋５６と、線分Ｓ６'Ｌ６'に沿って付けられた筋５７とを備えている。ここで、折り部１２が形成された状態において筋をつけるのは、縁部２２（ＦＬ２'ＣＥ），縁部４１（ＡＢＬ１'Ｓ１）が線分ＦＬ２'，線分Ｓ１Ｌ１'をそれぞれ折り目として斜めに折り返されているため、縁部２２（ＦＬ２'ＣＥ），縁部４１（ＡＢＬ１'Ｓ１）が展開した状態で筋をつけると縁部２２（ＦＬ２'ＣＥ），縁部４１（ＡＢＬ１'Ｓ１）を折り返したときに筋がずれるからである。この筋付けは、折り機に筋付け刃を取り付けて行う。
【００５１】
さらに、本発明の第８実施例に係る包装体１は、線分Ｓ３'Ｌ３'が折り目となるように縁部６３（Ｓ１Ｓ３'Ｌ３'Ａ）を表面側に折り、筋５６に基づいて中央部６５（Ｓ３'Ｓ４'Ｌ４'Ｌ３'）を表面側に折り、筋５７に基づいて縁部６６（Ｓ６'Ｌ１'Ｌ２'Ｌ６'）を折り返して重畳部６７を形成し、この重畳部６７を線分Ｓ４'Ｌ４'が折り目となるように表面側に折り、ポケット５５に重畳部６７を端縁Ｓ６'Ｌ６'から挿入することにより、図８に示すような卓上スタンド１００が形成されるように構成されている。本発明の第８実施例に係る包装体１を卓上スタンド１００として使用する際は、図９に示すように、卓上スタンド１００のポケット５５にポストカード等を挿入する。
【００５２】
３．包装体１の作用
最後に、包装体１の作用について説明する。本発明の第１，第４，第７実施例に係る包装体１によれば、包装体１は、型抜き，切り込み，突出部，及び糊代等を設ける必要がないため、トムソン加工の工程を省くことができる。したがって、包装体１を量産するためのコストや時間を削減することができる。
【００５３】
また、包装体１は、第１の折り部又は／及び第２の折り部が、点Ｌ１'又は／及び点Ｌ２'を基点として斜めに折り返されるようにしたため、縁部２４等は先細りの形状となり、縁部２４等の端縁のサイズがポケット１５等の開口部のサイズよりも小さくなる。
【００５４】
また、包装体１は、線分ＥＳ１に沿って裁断することで開口部が斜めになったポケット１５等が形成される。縁部２４等の端縁Ｌ１Ｌ２'等は、このポケットの開口部が斜めになっていることで縁部２１等に形成される三角形Ｓ１ＡＫの面を滑りながらポケット１５等に挿入されるようになっている。
【００５５】
さらに、包装体１は、第１の折り部と第２の折り部とをこの順に折り重ねているため、ポケット１５等において、斜めに裁断した側の縁部２２等が斜めに裁断していない側の縁部２１等の下側に来る。したがって、端縁Ｌ１Ｌ２'等を前記ポケット１５等に挿入する際、斜めに裁断した側の縁部２２等が邪魔にならない。
【００５６】
このように、本発明の第１，第４，第７実施例に係る包装体１によれば、包装体１は、端縁Ｌ１Ｌ２'等が前記開口部のサイズよりも小さく折り込まれており、三角形Ｓ１ＡＫの面が端縁Ｌ１Ｌ２'等をポケット１５等に挿入する際のガイドの役目を果たし、ポケット１５等において、斜めに裁断した側の縁部２２等が斜めに裁断していない側の縁部２１等の下側に来るため、包装体１の封をする作業をスムーズにでき、簡易な作業をするだけで包装体１をスピーディに製造することができる。
【００５７】
ここで、本発明の第１，第４，第７実施例に係る包装体１は、包装体１の封をする際にポストカード等を入れることでポストカード等入りケースとして利用することができる。包装体１にポストカード等を入れるには、中央部２５等の上にポストカード等を置き、折り部１１等，折り部１２等，折り部１３等，折り部１４等の順に折り部が形成されるように折り畳み、ポケット１５等に縁部２４等を端縁Ｌ１Ｌ２'等から挿入する。
【００５８】
また、本発明の第１，第４，第７実施例に係る包装体１は、型抜き，切り込み，突出部，及び糊代等がなく、切り込みに突出部を挿入したり糊付け等もされないため、容易に展開でき、展開後、多少の折り目が残るものの滑らかなシートとなる。したがって、展開した包装体１の内側を、例えば、リーフレットや便箋として利用することができる。
【００５９】
包装体１をリーフレットや便箋として利用する場合には、折り加工する前に、折り加工したときに内側になる面にリーフレットの内容や便箋のデザインを印刷しておく。便箋の場合は、単に、書き込み可能なスペースを確保するだけでもよい。また、包装体１を郵便封筒として利用する場合には、折り加工する前に、折り加工したときに外側になる面に郵便枠を印刷しておく。このとき、図１０に示すように、（ａ），（ｂ），（ｃ）のうち何れか一カ所をシール等で封緘するようにしてもよい。
【００６０】
また、包装体１を定型郵便物として利用する場合には、包装体１のサイズと重さを郵政公社が定める規格にあわせる必要がある。この規格の範囲内であれば、写真等の比較的薄いものを同封して郵送することも可能である。
【００６１】
本発明の第２，第５，第８実施例に係る包装体１によれば、包装体１は、三角形の成立条件を満たすように筋１６等と筋１７等とが設けられ、線分Ｓ３Ｌ３'等が折り目となるように縁部２３等を表面側に折り、筋１６等に基づいて中央部２５等を表面側に折り、筋１７等に基づいて縁部２６等を折り返して重畳部２７等を形成し、この重畳部２７等を線分Ｓ４Ｌ４'等が折り目となるように表面側に折り、ポケット１５等に重畳部２７等を端縁Ｓ６Ｌ６'等から挿入するようにしたため、ポケット１５等を備えた卓上スタンド１００を形成できる。
【００６２】
したがって、本発明の第２，第５，第８実施例に係る包装体１は、本発明の第１，第４，第７実施例に係る実施例に係る包装体１による効果に加えて、ポストカード等を差し込むタイプの卓上スタンド１００としても利用できる。なお、本発明の第２，第５，第８実施例に係る包装体１を卓上スタンド１００として使用する際は、図９に示すように、卓上スタンド１００のポケット１５等にポストカード等を挿入する。
【００６３】
本発明の第３，第６，第９実施例に係る包装体１によれば、本発明の第１又は第２実施例，第４又は第５実施例，第７又は第８実施例に係る包装体１による効果に加えて、包装体１は、長方形ＡＢＣＤの形状をしたシート材を用いるようにしたため、規格化された紙等を裁断することなくそのまま使用できる。また、ポケット１５等の開口部分ＦＳ１等は折り目となるため、ポケット１５等の強度が増し、ポケット１５等に縁部２４等や重畳部を端縁から挿入し易くできる。
【００６４】
本発明の第１０乃至第１８実施例に係る包装体１は、本発明の第１乃至第９実施例に係る包装体１を左右対称としたものとそれぞれ対応しているため、本発明の第１０乃至第１８実施例に係る包装体１の作用と本発明の第１乃至第９実施例に係る包装体１の作用とは同様となる。
【００６５】
なお、本発明は上述した実施の形態のみに限定されるものではなく、本発明の要旨を逸脱しない範囲において種々の変更が可能であることは勿論である。例えば、各折り部の端縁が他の折り部に多少折り込まれたものや、点Ｓ１から多少ずれた位置を基点として第１の折り部が形成されたものについても本発明の技術的範囲に含まれる。
【図面の簡単な説明】
【００６６】
【図１】本発明の第１実施例である包装体の展開図を示す平面図である。
【図２】本発明の第１実施例であり、包装体の縁部ＡＢＬ１Ｓ１を折り返した状態を示す図である。
【図３】本発明の第１実施例であり、包装体の縁部ＦＬ２'ＣＥを折り返した状態を示す図である。
【図４】本発明の第１実施例であり、包装体の縁部Ｓ１Ｓ３Ｌ３'Ａ及び縁部Ｓ４Ｌ１Ｌ２'Ｌ４'を折り返す状態を示す図である。
【図５】本発明の第１実施例であり、包装体のポケットＳ１Ｓ３Ｌ３'Ｆに縁部Ｓ４Ｌ１Ｌ２'Ｌ４'を端縁Ｌ１Ｌ２'から挿入した状態を示す図である。
【図６】本発明の第２実施例であり、包装体に筋を付けた状態を示す図である。
【図７】本発明の第２実施例であり、卓上スタンドの加工法を説明するのに供する図である。
【図８】本発明の第２実施例であり、卓上スタンドに加工した状態を示す図である。
【図９】本発明の第２実施例であり、ポストカード等を卓上スタンドのポケットＳ１Ｓ３Ｌ３'Ｆに挿入した状態を示す図である。
【図１０】本発明の第１，第４，第７実施例であり、包装体を封筒として利用したときの封緘箇所を示す図である。
【符号の説明】
【００６７】
１    包装体
１１，３１    折り部（第１の折り部）
１２，３２    折り部（第２の折り部）
１３，３３，５３    折り部（第３の折り部）
１４，３４，５４    折り部（第４の折り部）
１５    ポケット（Ｓ１Ｓ３Ｌ３'Ｆ）
１６，３６，５６    筋（第１の筋）
１７，３７，５７    筋（第２の筋）
２１    縁部（ＡＢＬ１Ｓ１）
２２    縁部（ＦＬ２'ＣＥ）
２３    縁部（Ｓ１Ｓ３Ｌ３'Ａ）
２４    縁部（Ｓ４Ｌ１Ｌ２'Ｌ４'）
２５    中央部（Ｓ３Ｓ４Ｌ４'Ｌ３'）
２６    縁部（Ｓ６Ｌ１Ｌ２'Ｌ６'）
２７，４７，６７    重畳部
３５    ポケット（Ｓ１Ｓ３'Ｌ３Ｆ）
４１    縁部（ＡＢＬ１'Ｓ１）
４２    縁部（ＦＬ２ＣＥ）
４３    縁部（Ｓ１Ｓ３'Ｌ３Ａ）
４４    縁部（Ｓ４'Ｌ１'Ｌ２Ｌ４）
４５    中央部（Ｓ３'Ｓ４'Ｌ４Ｌ３）
４６    縁部（Ｓ６'Ｌ１'Ｌ２Ｌ６）
５５    ポケット（Ｓ１Ｓ３'Ｌ３'Ｆ）
６３    縁部（Ｓ１Ｓ３'Ｌ３'Ａ）
６４    縁部（Ｓ４'Ｌ１'Ｌ２'Ｌ４'）
６５    中央部（Ｓ３'Ｓ４'Ｌ４'Ｌ３'）
６６    縁部（Ｓ６'Ｌ１'Ｌ２'Ｌ６'）
１００    卓上スタンド
【図１】
0004979511.tif 000002
【図２】
0004979511.tif 000003
【図３】
0004979511.tif 000004
【図４】
0004979511.tif 000005
【図５】
0004979511.tif 000006
【図６】
0004979511.tif 000007
【図７】
0004979511.tif 000008
【図８】
0004979511.tif 000009
【図９】
0004979511.tif 000010
【図１０】
0004979511.tif 000011